(57)【要約】  本願は、上り信号の伝送方法、端末及びネットワークデバイス提供する。本発明の実施例は、ネットワークデバイスにより送信されたゼロパワーの上り基準信号の構成情報を受信し、前記構成情報に基づいて、前記ゼロパワーの上り基準信号が占用するリソースを確定し、前記リソース上において上りデータを送信しなく、及び／又は、前記リソースにおいて、非ゼロパワーの上り基準信号を送信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
2020522161.tif 000002
【特許請求の範囲】
【請求項１】
ネットワークデバイスにより送信されたゼロパワーの上り基準信号の構成情報を受信することと、
前記構成情報に基づいて、前記ゼロパワーの上り基準信号が占用するリソースを確定することと、
前記リソース上において上りデータを送信しないことと、及び／又は、前記リソースにおいて、非ゼロパワーの上り基準信号を送信しないこととを含む
ことを特徴とする上り信号の伝送方法。
【請求項２】
前記ゼロパワーの上り基準信号は、ゼロパワーのサウンディング基準信号、ゼロパワーの復調基準信号、又はゼロパワーの位相トラッキング基準信号を含む
ことを特徴とする請求項１に記載の上り信号の伝送方法。
【請求項３】
前記非ゼロパワーの上り基準信号は、非ゼロパワーのサウンディング基準信号、非ゼロパワーの復調基準信号、又は非ゼロパワーの位相トラッキング基準信号を含む
ことを特徴とする請求項１に記載の上り信号の伝送方法。
【請求項４】
前記構成情報は、リソース構成情報及びアクティブ化情報を含み、
前記リソース構成情報は、前記ゼロパワーの上り基準信号のために構成されたリソースを示し、
前記アクティブ化情報は、前記ゼロパワーの上り基準信号をアクティブ化するかどうかを指示する
ことを特徴とする請求項１に記載の上り信号の伝送方法。
【請求項５】
前記リソース構成情報は、無線物理リソース制御ＲＲＣメッセージで搬送される
ことを特徴とする請求項４に記載の上り信号の伝送方法。
【請求項６】
前記アクティブ化情報は、メディアアクセス制御要素ＭＡＣ  ＣＥメッセージ又は下り制御情報ＤＣＩで搬送される
ことを特徴とする請求項４に記載の上り信号の伝送方法。
【請求項７】
前記構成情報に基づいて、前記ゼロパワーの上り基準信号が占用するリソースを確定することは、
前記アクティブ化情報が前記ゼロパワーの上り基準信号をアクティブ化するように指示する場合、前記リソース構成情報に基づいて前記ゼロパワーの上り基準信号が占用するリソースを確定することを含む
ことを特徴とする請求項４に記載の上り信号の伝送方法。
【請求項８】
前記ゼロパワーの上り基準信号のために構成されたリソースは、対応する非ゼロパワーの上り基準信号のために構成されたリソースを再利用する
ことを特徴とする請求項４に記載の上り信号の伝送方法。
【請求項９】
前記ネットワークデバイスにより送信されたゼロパワーの上り基準信号の構成情報を受信することは、
前記ネットワークデバイスにより送信された下り制御情報を受信することを含み、
前記下り制御情報には、ゼロパワーのサウンディング基準信号をトリガするための非周期的なゼロパワーのサウンディング基準信号トリガシグナリングが含まれる
ことを特徴とする請求項４に記載の上り信号の伝送方法。
【請求項１０】
前記ネットワークデバイスにより送信されたゼロパワーの上り基準信号の構成情報を受信することは、
前記ネットワークデバイスにより送信された、上り伝送のスケジューリングのための下り制御情報を受信することを含み、
前記下り制御情報には前記アクティブ化情報が含まれ、
前記アクティブ化情報は、前記上り伝送が搬送される物理リソース領域内のゼロパワーの復調基準信号又はゼロパワーの位相トラッキング基準信号をアクティブ化する
ことを特徴とする請求項４に記載の上り信号の伝送方法。
【請求項１１】
前記アクティブ化情報は、アクティブ化された上り基準信号がゼロパワーの上り基準信号、又は非ゼロパワーの上り基準信号であることを示す
ことを特徴とする請求項４に記載の上り信号の伝送方法。
【請求項１２】
前記アクティブ化情報は、前記リソース構成情報が示す、前記ゼロパワーの上り基準信号のために構成された複数のリソースから、アクティブ化される前記ゼロパワーの上り基準信号が占用するリソースを選択するように指示する
ことを特徴とする請求項４に記載の上り信号の伝送方法。
【請求項１３】
前記アクティブ化情報は、アクティブ化される前記ゼロパワーの上り基準信号が占用するアンテナポートを示す
ことを特徴とする請求項４に記載の上り信号の伝送方法。
【請求項１４】
前記リソース上において上りデータを送信しないことは、
前記リソースにおいて、上りデータに対してレートマッチングまたはパンチ処理を行うことを含む
ことを特徴とする請求項１に記載の上り信号の伝送方法。
【請求項１５】
前記ゼロパワーの上り基準信号と前記非ゼロパワーの上り基準信号とは、同じタイプの上り基準信号、又は異なるタイプの上り基準信号である
ことを特徴とする請求項１に記載の上り信号の伝送方法。
【請求項１６】
前記リソースは、時間領域リソース、周波数領域リソース及びシーケンスリソースのうちの少なくとも１つを含む
ことを特徴とする請求項１〜１５のいずれか１項に記載の上り信号の伝送方法。
【請求項１７】
ゼロパワーの上り基準信号が占用するリソースに基づいて、前記ゼロパワーの上り基準信号の構成情報を取得することと、
端末に前記構成情報を送信することと、
前記リソースにおいて、上りデータを受信しないことと、及び／又は、前記リソースにおいて、非ゼロパワーの上り基準信号を受信しないこととを含む
ことを特徴とする上り信号の伝送方法。
【請求項１８】
前記構成情報は、リソース構成情報及びアクティブ化情報を含み、
前記リソース構成情報は、前記ゼロパワーの上り基準信号のために構成されたリソースを示し、
前記アクティブ化情報は、前記ゼロパワーの上り基準信号をアクティブ化するかどうかを指示する
ことを特徴とする請求項１７に記載の上り信号の伝送方法。
【請求項１９】
前記リソース構成情報は、無線物理リソース制御ＲＲＣメッセージで搬送される
ことを特徴とする請求項１８に記載の上り信号の伝送方法。
【請求項２０】
前記アクティブ化情報は、メディアアクセス制御要素ＭＡＣ  ＣＥメッセージ又は下り制御情報ＤＣＩで搬送される
ことを特徴とする請求項１８に記載の上り信号の伝送方法。
【請求項２１】
前記リソースにおいて、上りデータを受信しないことは、
前記リソースにおいて、上りデータに対してレートマッチングまたはパンチ処理を行うことを含む
ことを特徴とする請求項１７〜２０のいずれか１項に記載の上り信号の伝送方法。
【請求項２２】
前記ゼロパワーの上り基準信号と前記非ゼロパワーの上り基準信号とは、同じタイプの上り基準信号、又は異なるタイプの上り基準信号である
ことを特徴とする請求項１７〜２０のいずれか１項に記載の上り信号の伝送方法。
【請求項２３】
ネットワークデバイスにより送信されたゼロパワーの上り基準信号の構成情報を受信するように構成される受信ユニットと、
前記構成情報に基づいて、前記ゼロパワーの上り基準信号が占用するリソースを確定するように構成される確定ユニットと、
前記リソース上において上りデータを送信しなく、及び／又は、前記リソースにおいて、非ゼロパワーの上り基準信号を送信しないように構成される実行ユニットとを含む
ことを特徴とする端末。
【請求項２４】
前記ゼロパワーの上り基準信号は、ゼロパワーのサウンディング基準信号、ゼロパワーの復調基準信号、又はゼロパワーの位相トラッキング基準信号を含む
ことを特徴とする請求項２３に記載の端末。
【請求項２５】
前記非ゼロパワーの上り基準信号は、非ゼロパワーのサウンディング基準信号、非ゼロパワーの復調基準信号、又は非ゼロパワーの位相トラッキング基準信号を含む
ことを特徴とする請求項２３に記載の端末。
【請求項２６】
前記構成情報は、リソース構成情報及びアクティブ化情報を含み、
前記リソース構成情報は、前記ゼロパワーの上り基準信号のために構成されたリソースを示し、
前記アクティブ化情報は、前記ゼロパワーの上り基準信号をアクティブ化するかどうかを指示する
ことを特徴とする請求項２３に記載の端末。
【請求項２７】
前記リソース構成情報は、無線物理リソース制御ＲＲＣメッセージで搬送される
ことを特徴とする請求項２６に記載の端末。
【請求項２８】
前記アクティブ化情報は、メディアアクセス制御要素ＭＡＣ  ＣＥメッセージ又は下り制御情報ＤＣＩで搬送される
ことを特徴とする請求項２６に記載の端末。
【請求項２９】
前記確定ユニットは、
前記アクティブ化情報が前記ゼロパワーの上り基準信号をアクティブ化するように指示する場合、前記リソース構成情報に基づいて前記ゼロパワーの上り基準信号が占用するリソースを確定するように構成される
ことを特徴とする請求項２６に記載の端末。
【請求項３０】
前記ゼロパワーの上り基準信号のために構成されたリソースは、対応する非ゼロパワーの上り基準信号のために構成されたリソースを再利用する
ことを特徴とする請求項２６に記載の端末。
【請求項３１】
前記受信ユニットは、
前記ネットワークデバイスに送信された下り制御情報を受信するように構成され、前記下り制御情報には、ゼロパワーのサウンディング基準信号をトリガするための非周期的なゼロパワーのサウンディング基準信号トリガシグナリングが含まれる
ことを特徴とする請求項２６に記載の端末。
【請求項３２】
前記受信ユニットは、
前記ネットワークデバイスにより送信された、上り伝送のスケジューリングのための下り制御情報を受信するように構成され、前記下り制御情報には前記アクティブ化情報が含まれ、前記アクティブ化情報は、前記上り伝送が搬送される物理リソース領域内のゼロパワーの復調基準信号又はゼロパワーの位相トラッキング基準信号をアクティブ化する
ことを特徴とする請求項２６に記載の端末。
【請求項３３】
前記アクティブ化情報は、アクティブ化された上り基準信号がゼロパワーの上り基準信号、又は非ゼロパワーの上り基準信号であることを示す
ことを特徴とする請求項２６に記載の端末。
【請求項３４】
前記アクティブ化情報は、前記リソース構成情報が示す、前記ゼロパワーの上り基準信号のために構成された複数のリソースから、アクティブ化される前記ゼロパワーの上り基準信号が占用するリソースを選択するように指示する
ことを特徴とする請求項２６に記載の端末。
【請求項３５】
前記アクティブ化情報は、アクティブ化される前記ゼロパワーの上り基準信号が占用するアンテナポートを示す
ことを特徴とする請求項２６に記載の端末。
【請求項３６】
前記実行ユニットは、
前記リソースにおいて、上りデータに対してレートマッチングまたはパンチ処理を行うように構成される
ことを特徴とする請求項２３に記載の端末。
【請求項３７】
前記ゼロパワーの上り基準信号と前記非ゼロパワーの上り基準信号とは、同じタイプの上り基準信号、又は異なるタイプの上り基準信号である
ことを特徴とする請求項２３に記載の端末。
【請求項３８】
前記リソースは、時間領域リソース、周波数領域リソース及びシーケンスリソースのうちの少なくとも１つを含む
ことを特徴とする請求項２３〜３７のいずれか１項に記載の端末。
【請求項３９】
ゼロパワーの上り基準信号が占用するリソースに基づいて、前記ゼロパワーの上り基準信号の構成情報を取得するように構成される取得ユニットと、
端末に前記構成情報を送信するように構成される送信ユニットと、
前記リソースにおいて、上りデータを受信しなく、及び／又は、前記リソースにおいて、非ゼロパワーの上り基準信号を受信しないように構成される実行ユニットとを含む
ことを特徴とするネットワークデバイス。
【請求項４０】
前記構成情報は、リソース構成情報及びアクティブ化情報を含み、
前記リソース構成情報は、前記ゼロパワーの上り基準信号のために構成されたリソースを示し、
前記アクティブ化情報は、前記ゼロパワーの上り基準信号をアクティブ化するかどうかを指示する
ことを特徴とする請求項３９に記載のネットワークデバイス。
【請求項４１】
前記リソース構成情報は、無線物理リソース制御ＲＲＣメッセージで搬送される
ことを特徴とする請求項４０に記載のネットワークデバイス。
【請求項４２】
前記アクティブ化情報は、メディアアクセス制御要素ＭＡＣ  ＣＥメッセージ又は下り制御情報ＤＣＩで搬送される
ことを特徴とする請求項４０に記載のネットワークデバイス。
【請求項４３】
前記実行ユニットは、
前記リソースにおいて、上りデータに対してレートマッチングまたはパンチ処理を行うように構成される
ことを特徴とする請求項３９〜４２のいずれか１項に記載のネットワークデバイス。
【請求項４４】
前記ゼロパワーの上り基準信号と前記非ゼロパワーの上り基準信号とは、同じタイプの上り基準信号、又は異なるタイプの上り基準信号である
ことを特徴とする請求項３９〜４２のいずれか１項に記載のネットワークデバイス。
【発明の詳細な説明】
【技術分野】
【０００１】
本発明は、無線アクセス技術に関し、特に、上り信号の伝送方法、端末及びネットワークデバイスに関する。
【背景技術】
【０００２】
ＮＲ(Ｎｅｗ Ｒａｄｉｏ)システムでは、端末がサウンディング基準信号( Ｓｏｕｎｄｉｎｇ Ｒｅｆｅｒｅｎｃｅ Ｓｉｇｎａｌ、ＳＲＳ )、復調基準信号( Ｄｅｍｏｄｕｌａｔｉｏｎ Ｒｅｆｅｒｅｎｃｅ Ｓｉｇｎａｌ、ＤＭＲＳ )や位相トラッキング基準信号( Ｐｈａｓｅ ｔｒａｃｋｉｎｇ Ｒｅｆｅｒｅｎｃｅ Ｓｉｇｎａｌ、ＰＴＲＳ )などの上り基準信号を送信することがある。
【０００３】
これらの上り基準信号の伝送に対する干渉を低減して、端末におけるこれらの上り基準信号の確実な伝送を保証することができる上り信号の伝送方法を提供することは必要がある。
【発明の概要】
【０００４】
本発明は、端末における上り基準信号の確実な伝送を保証することができる上り信号の伝送方法、端末及びネットワークデバイスを提供する。
【０００５】
本発明の一形態は、上り信号の伝送方法を提供し、
ネットワークデバイスにより送信されたゼロパワーの上り基準信号の構成情報を受信することと、
前記構成情報に基づいて、前記ゼロパワーの上り基準信号が占用するリソースを確定することと、
前記リソース上において上りデータを送信しないことと、及び／又は、前記リソースにおいて、非ゼロパワーの上り基準信号を送信しないこととを含む。
【０００６】
本発明の他の形態は、上り信号の伝送方法を提供し、
ゼロパワーの上り基準信号が占用するリソースに基づいて、前記ゼロパワーの上り基準信号の構成情報を取得することと、
端末に前記構成情報を送信することと、
前記リソースにおいて、上りデータを受信しないことと、及び／又は、前記リソースにおいて、非ゼロパワーの上り基準信号を受信しないこととを含む。
【０００７】
本発明の他の形態は、端末を提供し、
ネットワークデバイスにより送信されたゼロパワーの上り基準信号の構成情報を受信するように構成される受信ユニットと、
前記構成情報に基づいて、前記ゼロパワーの上り基準信号が占用するリソースを確定するように構成される確定ユニットと、
前記リソース上において上りデータを送信しなく、及び／又は、前記リソースにおいて、非ゼロパワーの上り基準信号を送信しないように構成される実行ユニットとを含む。
【０００８】
本発明の他の形態は、ネットワークデバイスを提供し、
ゼロパワーの上り基準信号が占用するリソースに基づいて、前記ゼロパワーの上り基準信号の構成情報を取得するように構成される取得ユニットと、
端末に前記構成情報を送信するように構成される送信ユニットと、
前記リソースにおいて、上りデータを受信しなく、及び／又は前記リソースにおいて、非ゼロパワーの上り基準信号を受信しないように構成される実行ユニットとを含む。
【０００９】
以上のように、本発明の実施例は、ネットワークデバイスにより送信されたゼロパワーの上り基準信号の構成情報を受信し、前記構成情報に基づいて、前記ゼロパワーの上り基準信号が占用するリソースを確定し、前記リソース上において上りデータを送信しなく、及び／又は、前記リソースにおいて、非ゼロパワーの上り基準信号を送信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【００１０】
一方、本発明の実施例は、ゼロパワーの上り基準信号が占用するリソースに基づいて、前記ゼロパワーの上り基準信号の構成情報を取得し、端末に前記構成情報を送信し、前記リソースにおいて、上りデータを受信しなく、及び／又は、前記リソースにおいて、非ゼロパワーの上り基準信号を受信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【図面の簡単な説明】
【００１１】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例における上り信号の伝送方法のフローチャートである。
【図２】本発明の他の実施例における他の上り信号の伝送方法のフローチャートである。
【図３】本発明の他の実施例における端末の構成図である。
【図４】本発明の他の実施例におけるネットワークデバイスの構成図である。
【発明を実施するための形態】
【００１２】
本発明の実施例の目的、技術的解決策、及び利点をより明確にするために、以下に、本発明の実施例における技術的解決策を、本発明の実施例における図面と併せて、明確かつ完全に説明し、記載された実施例は、本発明の一部の実施例であり、全ての実施例ではないことを理解する。本発明の実施例に基づいて、当業者が創造的な労働をすることなく得た全ての他の実施例は、本発明の保護範囲に属する。
【００１３】
なお、非ゼロパワーの上り基準信号とは、端末が実際に伝送を必要とする上り基準信号である。なお、一つの上り基準信号がゼロパワーの上り基準信号でなければ、非ゼロパワーでない上り基準信号をとしてもよいが、一般的に上り基準信号とは、本願でいう非ゼロパワーの上り基準信号のことである。
【００１４】
また、ここでいう「及び/又は」とは、単に関連のある対象を記述するための関連関係の一種であり、Ａ及び/又はＢの３種類の関係が存在し得ることを示し、Ａのみ、ＡとＢが同時に存在すること、Ｂのみが存在することの３種類の場合があり得ることを示す。なお、本文中の「/」の文字は、前後の関連オブジェクトが一種の「または」の関係であることを一般的に示す。
【００１５】
図１は本発明の実施例における上り信号の伝送方法のフローチャートであり、図１に示すように、１０１〜１０３を含む。
【００１６】
１０１において、ネットワークデバイスにより送信されたゼロパワーの上り基準信号（Ｚｅｒｏ−Ｐｏｗｅｒ Ｕｐｌｉｎｋ Ｒｅｆｅｒｅｎｃｅ Ｓｉｇｎａｌ、ＺＰ  ＵＬＲＳ）の構成情報を受信する。
【００１７】
１０２において、前記構成情報に基づいて、前記ＺＰ  ＵＬＲＳが占用するリソースを確定する。
【００１８】
１０３において、前記リソース上において上りデータを送信しなく、及び／又は、前記リソースにおいて、非ゼロパワーの上り基準信号（Ｎｏｎ−Ｚｅｒｏ−Ｐｏｗｅｒ Ｕｐｌｉｎｋ Ｒｅｆｅｒｅｎｃｅ Ｓｉｇｎａｌ、ＮＺＰ  ＵＬＲＳ）を送信しない。
【００１９】
１０３において、前記リソース上において上りデータを送信しないことは、前記リソースにおいて、上りデータに対してレートマッチングまたはパンチ処理を行うことである。
【００２０】
なお、１０１〜１０３の実行主体は、端末であってもよい。
【００２１】
この実施例の主な考え方は、ネットワークデバイスの構成及び端末への指示によって、ゼロパワーの上り基準信号をアクティブ化し、いくつかの端末が上り基準信号（つまり、非ゼロパワーの上り基準信号）を伝送するときに、他の端末が同時に対応するリソース上でアイドル状態になるように指示するため、他の端末によって伝送される上り基準信号による干渉を回避し、この上り基準信号の伝送性能を改善する。
【００２２】
このように、ネットワークデバイスにより送信されたゼロパワーの上り基準信号の構成情報を受信し、前記構成情報に基づいて、前記ゼロパワーの上り基準信号が占用するリソースを確定し、前記リソース上において上りデータを送信しなく、及び／又は、前記リソースにおいて、非ゼロパワーの上り基準信号を送信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【００２３】
選択可能で、この実施例の１つの可能な実施態様において、ＺＰ  ＵＬＲＳは、これら既存のＵＬＲＳ、ＺＰ  ＳＲＳ、ＺＰ  ＤＭＲＳ、又はＺＰ  ＰＴＲＳ、又はＮＲシステムのために新たに定義された他のＺＰ  ＵＬＲＳを含んでもよいが、これらに限定されない。
【００２４】
選択可能で、この実施例の１つの可能な実現形態において、前記ＮＺＰ  ＵＬＲＳは、ＮＺＰ  ＳＲＳ、ＮＺＰ  ＤＭＲＳ、又はＮＺＰ  ＰＴＲＳ、又はＮＲシステムのために新たに定義された他のＮＺＰ  ＵＬＲＳを含むことができるが、それらに限定されず、この実施例は、特に限定されない。
【００２５】
選択可能で、この実施例の実現可能な方式において、１０１において、具体的に、ネットワークデバイスが上位レイヤシグナリング又は下り制御情報（Ｄｏｗｎｌｉｎｋ Ｃｏｎｔｒｏｌ Ｉｎｆｏｒｍａｔｉｏｎ、ＤＣＩ）により送信したＺＰ  ＵＬＲＳの構成情報を受信する。
【００２６】
具体的に、端末は、ネットワークデバイスが上位レイヤシグナリング又はＤＣＩにより送信されたＺＰ  ＵＬＲＳの構成情報を受信する。
【００２７】
例えば、前記上位レイヤシグナリングは、無線物理リソース制御（Ｒａｄｉｏ Ｒｅｓｏｕｒｃｅ Ｃｏｎｔｒｏｌ、ＲＲＣ）メッセージであってもよく、具体的に、ＲＲＣメッセージ内の情報要素（Ｉｎｆｏｒｍａｔｉｏｎ Ｅｌｅｍｅｎｔ、ＩＥ）により前記ＺＰ  ＵＬＲＳの構成情報が搬送され、前記ＲＲＣメッセージは、従来のＲＲＣメッセージ、例えば、ＲＲＣ接続再構成（ＲＲＣ ＣＯＮＮＥＣＴＩＯＮ ＲＥＣＯＮＦＩＧＵＲＡＴＩＯＮ）メッセージ等であってもよく、この実施例がこれに限定されなく、従来のＲＲＣメッセージのＩＥを拡張して前記ＺＰ  ＵＬＲＳの構成情報を搬送し、又は、前記ＲＲＣメッセージは、従来の技術のＲＲＣメッセージと異なってもよい。
【００２８】
また、例えば、前記上位レイヤシグナリングは、メディアアクセス制御（Ｍｅｄｉａ Ａｃｃｅｓｓ Ｃｏｎｔｒｏｌ、ＭＡＣ）制御要素（Ｃｏｎｔｒｏｌ Ｅｌｅｍｅｎｔ、ＣＥ）メッセージであってもよく、新しいＭＡＣ  ＣＥメッセージを追加して前記ＺＰ  ＵＬＲＳの構成情報を搬送してもよい。
【００２９】
選択可能で、この実施例の実現可能な方式において、１０１において、受信する前記構成情報は、リソース構成情報とアクティブ化情報を含むが、この実施例はこれに限定されない。
【００３０】
この実施例において、リソース構成情報とアクティブ化情報の２つの情報は、別の２つの情報であってもいし、１つの情報であってもよく、この実施例はこれに限定されない。
【００３１】
例えば、端末は、ネットワークデバイスがＲＲＣメッセージを介して送信したＺＰ  ＵＬＲＳのリソース構成情報を受信してもよい。
【００３２】
また、例えば、端末は、ネットワークデバイスがＤＣＩ又はＭＡＣ  ＣＥメッセージを介して送信したＺＰ  ＵＬＲＳのアクティブ化情報を受信してもよい。
【００３３】
ここで、前記リソース構成情報は、前記ＺＰ  ＵＬＲＳのために構成されたリソースを示す。
【００３４】
この実施例において、前記リソースは、時間領域リソース、周波数領域リソース及びシーケンスリソースのうちの少なくとも１つを含むが、この実施例はこれに限定されない。
【００３５】
例えば、時間領域リソースは、ＺＰ  ＵＬＲＳが存在するタイムスロットまたは直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅ、ＯＦＤＭ )シンボルであってもよい。
【００３６】
又は、例えば、前記周波数領域リソースは、ＺＰ  ＵＬＲＳが占用するサブキャリア又は物理リソースブロック（Ｒｅｓｏｕｒｃｅ Ｂｌｏｃｋ、ＲＢ）である。
【００３７】
前記シーケンスリソースは、ＺＰ  ＵＬＲＳによって使用されるサイクリックシフト、直交マスク( Ｏｒｔｈｏｇｏｎａｌ Ｃｏｖｅｒ Ｃｏｄｅ、ＯＣＣ )、またはシーケンス識別子( Ｉｄｅｎｔｉｔｙ、ＩＤ )であってもよい。
【００３８】
この実施例において、前記ＺＰ  ＵＬＲＳに構成されたリソースは、対応するＮＺＰ  ＵＬＲＳに構成されたリソースを再利用してもよい。
【００３９】
例えば、ネットワークデバイスは、ＮＺＰ  ＵＬＲＳとＺＰ  ＵＬＲＳがＮ個(Ｎは１以上の整数)の同じリソースを共有するように構成してもよく、それによって、アクティブ化情報によってＺＰ  ＵＬＲＳが占用するリソースのうちのどれが示されるかを示してもよい。
【００４０】
ここで、前記アクティブ化情報は、ＺＰ  ＵＬＲＳがアクティブ化されるか否か、すなわちＺＰ  ＵＬＲＳが有効であるか否かを示す。なお、上記の「アクティブ化」は、トリガとも呼ばれ、イネーブルとも呼ばれ、この実施例では特に限定しない。
【００４１】
具体的には、前記アクティブ化情報は、１ビットの情報で表されてもよく、例えば、１はアクティブ化状態を表してもよく、０は、非アクティブ化状態を示してよい。
【００４２】
１つの実現形態において、１０１において、ネットワークデバイスによって送信されるＤＣＩが受信され、ＤＣＩは、ＺＰ  ＳＲＳをトリガするための非周期的なＺＰ  ＳＲＳトリガシグナリングを含む。ここで、前記非周期的なＺＰ  ＳＲＳトリガシグナリングは、クティブ化情報としてもよい。
【００４３】
この実現形態では、端末ＡがＮＺＰ  ＳＲＳを伝送するようにトリガされる時に、他方の端末Ｂの上り伝送が前記ＮＺＰ  ＳＲＳと同じリソースを多重化する場合、端末Ｂは非周期のＺＰ  ＳＲＳトリガシグナリングにより、前記ＮＺＰ  ＳＲＳに対応するＺＰ  ＳＲＳをトリガすることができ、前記ＮＺＰ  ＳＲＳが占用するリソースには上り信号が送信されず、ＮＺＰ  ＳＲＳへの干渉を回避することができる。
【００４４】
他の実現形態において、１０１において、上り伝送をスケジューリングするためにネットワークデバイスによって送信されるＤＣＩが特に受信され、ＤＣＩは、上り伝送を搬送する物理リソース領域においてＺＰ  ＤＭＲＳまたはＺＰ  ＰＴＲＳをアクティブ化するためのアクティブ化情報含む。
【００４５】
ここで、前記上り伝送は、上りデータ伝送であってもよく、或いは上りチャネル状態情報( Ｃｈａｎｎｅｌ Ｓｔａｔｅ Ｉｎｆｏｒｍａｔｉｏｎ、ＣＳＩ )報告であってもよく、本実施例はこれに限定されない。
【００４６】
例えば、端末とネットワークデバイスは、あらかじめ約定しているか、ネットワークデバイスがＺＰ  ＤＭＲＳで使用する物理リソースまたはＤＭＲＳポートを構成し、端末が上り伝送をスケジューリングするためのＤＣＩを受信し、あるタイムスロットで前記上り伝送を行う必要がある場合、前記タイムスロットにおいてＺＰ  ＤＭＲＳをアクティブ化する、すなわち、前記タイムスロットにおけるＺＰ  ＤＭＲＳまたはＺＰ  ＤＭＲＳのＤＭＲＳポートに対応する物理リソース上で上りデータ、上りＣＳＩまたはＤＭＲＳを送信しないようにすることができる。
【００４７】
このように、１つの端末と他の端末がマルチユーザ多入力多出力( Ｍｕｌｔｉ−Ｕｓｅｒ Ｍｕｌｔｉｐｌｅ−Ｉｎｐｕｔ Ｍｕｌｔｉｐｌｅ−Ｏｕｔｐｕｔ、ＭＵ−ＭＩＭＯ )伝送を行う場合、２つの端末が異なるＤＭＲＳポートを使用し、異なるポートが異なる物理リソースを占用する場合、１つの端末は、多重端末がＤＭＲＳを伝送する物理リソース上で上り信号を伝送せず、多重端末に対する干渉を低減することができる。
【００４８】
選択可能で、また、例えば、端末とネットワークデバイスは、あらかじめ約定しているか、ネットワークデバイスがＺＰ  ＰＴＲＳで使用する物理リソースまたはＰＴＲＳポートを構成し、端末が上り伝送をスケジューリングするためのＤＣＩを受信し、あるタイムスロットで前記上り伝送を行う必要がある場合、前記タイムスロットにおいてＺＰ  ＰＴＲＳをアクティブ化し、すなわち、前記タイムスロットにおけるＺＰ  ＰＴＲＳまたはＺＰ  ＰＴＲＳのＰＴＲＳポートに対応する物理リソース上で上りデータ、上りＣＳＩまたはＤＭＲＳを送信しないようにすることができる。
【００４９】
このように、１つの端末と他の端末がＭＵ−ＭＩＭＯ伝送を行う場合、２つの端末が異なるＰＴＲＳポートを使用し、異なるポートが異なる物理リソースを占用する場合、１つの端末は多重端末がＰＴＲＳを送信する物理リソース上で上り信号を伝送せず、多重端末への干渉を低減することができる。
【００５０】
さらに、この実現形態において、前記アクティブ化情報は、さらに、アクティブ化される上り基準信号がＺＰ  ＵＬＲＳ、又はＮＺＰ  ＵＬＲＳであることを示す。
【００５１】
具体的には、アクティブ化情報は、２ビットの情報を用いて表されてもよく、例えば、００は非アクティブ化状態を表してもよく、０１は、アクティブ化される上り基準信号がＮＺＰ  ＵＬＲＳであることを示し、１０は、アクティブ化される上り基準信号がＺＰ  ＵＬＲＳであることを示し、１１は使用しない。
【００５２】
例えば、端末は、アクティブ化された上り基準信号がＮＺＰ  ＵＬＲＳである場合、対応するリソース上でＮＺＰ  ＵＬＲＳを送信する必要があり、アクティブ化された上り基準信号がＺＰ  ＵＬＲＳの場合、端末は、対応するリソース上で上り基準信号を送信する必要がなく、対応するリソースを予約する必要がある。このように、１つの端末がＮＺＰ  ＵＬＲＳを伝送しても、他の端末がＮＺＰ  ＵＬＲＳを伝送するリソースの予約が必要であっても、同じシグナリングで指示することができ、シグナリング設計を簡略化することができる。
【００５３】
さらに、この実施態様では、前記アクティブ化情報は、さらに、前記リソース構成情報によって示される前記ＺＰ  ＵＬＲＳのために構成された複数のリソースから、アクティブ化された前記ゼロパワーの上り基準信号が占用するリソースを選択することを指示するために使用されてよい。
【００５４】
具体的には、ネットワークデバイスは、ＺＰ  ＵＬＲＳによって占用される複数のリソースを事前設定し得る。したがって、前記アクティブ化情報は、ネットワークデバイスによって構成されたＺＰ  ＵＬＲＳが占用するリソースから、ＺＰ  ＵＬＲＳが占用するリソースの少なくとも１つを選択することができる。例えば、インデックス（ｉｎｄｅｘ）やビットマップ（ｂｉｔｍａｐ）の形態で指示されてもよい。
【００５５】
さらに、この実現形態において、前記アクティブ化情報は、さらに、アクティブ化される前記ゼロパワーの上り基準信号が占用するアンテナポートを示す。
【００５６】
例えば、アクティブ化されるＺＰ  ＵＬＲＳがＺＰ  ＤＭＲＳまたはＺＰ  ＰＴＲＳである場合、アクティブ化情報は、ＺＰ  ＤＭＲＳ占用するＤＭＲＳポートまたはＺＰ  ＰＴＲＳが占用するＰＴＲＳポートを示し、他の端末の同じリソース上の伝送で占用されているＤＭＲＳポートまたはＰＴＲＳポートを示す。
【００５７】
選択可能で、この実施例の実現可能な方式において、１０２において、前記ＺＰ  ＵＬＲＳがアクティブ化されない場合、前記ＺＰ  ＵＬＲＳがリソースを占用する必要がなく、即ち、ＺＰ  ＵＬＲＳが占用するリソースが空きであり、前記ＺＰ  ＵＬＲＳがアクティブ化された場合、前記ＺＰ  ＵＬＲＳの構成情報に基づいて、前記ＺＰ  ＵＬＲＳが占用するリソースを確定することができる。
【００５８】
本願において、前記ＺＰ  ＵＬＲＳと前記ＮＺＰ  ＵＬＲＳとは、同じタイプの上り基準信号であり、又は、異なるタイプの上り基準信号であり、この実施例はこれに限定されない。
【００５９】
例えば、ＺＰ  ＤＭＲＳが占用するリソースにおいてＤＭＲＳ及び／又はＰＴＲＳを伝送しない。
【００６０】
また、例えば、ＺＰ  ＰＴＲＳが占用するリソースにおいてＤＭＲＳ及び／又はＳＲＳを伝送しない。
【００６１】
本発明による上り信号の伝送方法によれば、一部の端末が上り基準信号を伝送する際に、他の端末が対応するリソースにリソースの空きを柔軟に行わせつつ、他の端末が伝送する上り信号によるこれらの上り基準信号への干渉を回避し、端末の上り基準信号の確実な送信を保証することができ、これらの上り基準信号の伝送性能を向上させることができる。
【００６２】
この実施例において、ネットワークデバイスにより送信されたゼロパワーの上り基準信号の構成情報を受信し、前記構成情報に基づいて、前記ゼロパワーの上り基準信号が占用するリソースを確定し、前記リソース上において上りデータを送信しなく、及び／又は、前記リソースにおいて、非ゼロパワーの上り基準信号を送信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【００６３】
図２は本発明の他の実施例における上り信号の伝送方法のフローチャートであり、図２に示すように、２０１〜２０３を含む。
【００６４】
２０１において、ゼロパワーの上り基準信号（Ｚｅｒｏ−Ｐｏｗｅｒ Ｕｐｌｉｎｋ Ｒｅｆｅｒｅｎｃｅ Ｓｉｇｎａｌ、ＺＰ  ＵＬＲＳ）が占用するリソースに基づいて、前記ゼロパワーの上り基準信号の構成情報を取得する。
【００６５】
２０２において、端末に前記構成情報を送信する。
【００６６】
２０３において、前記リソースにおいて、上りデータを受信しなく、及び／又は前記リソースにおいて、非ゼロパワーの上り基準信号（Ｎｏｎ−Ｚｅｒｏ−Ｐｏｗｅｒ Ｕｐｌｉｎｋ Ｒｅｆｅｒｅｎｃｅ Ｓｉｇｎａｌ、ＮＺＰ  ＵＬＲＳ）を受信しない。
【００６７】
２０３において、前記リソースにおいて、上りデータを受信しないことは、具体的に、前記リソースにおいて、上りデータに対してレートマッチングまたはパンチ処理を行うことである。
【００６８】
なお、２０１〜２０３の実行主体は、ネットワークデバイスであってもよい。
【００６９】
この実施例の主な考え方は、ネットワークデバイスの構成及び端末への指示によって、ゼロパワーの上り基準信号をアクティブ化し、いくつかの端末が上り基準信号（つまり、非ゼロパワーの上り基準信号）を伝送するときに、他の端末が同時に対応するリソース上でアイドル状態になるように指示するため、他の端末によって伝送される上り基準信号の干渉を回避し、この上り基準信号の伝送性能を改善する。
【００７０】
このように、ゼロパワーの上り基準信号が占用するリソースに基づいて、前記ゼロパワーの上り基準信号の構成情報を取得し、端末に前記構成情報を送信し、前記リソースにおいて、上りデータを受信しなく、及び／又は前記リソースにおいて、非ゼロパワーの上り基準信号を受信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【００７１】
選択可能で、この実施例の１つの可能な実施態様において、ＺＰ  ＵＬＲＳは、これら既存のＵＬＲＳ、ＺＰ  ＳＲＳ、ＺＰ  ＤＭＲＳ、又はＺＰ  ＰＴＲＳ、又はＮＲシステムのために新たに定義された他のＺＰ  ＵＬＲＳを含んでもよいが、これらに限定されない。
【００７２】
選択可能で、この実施例の１つの可能な実現形態において、前記ＮＺＰ  ＵＬＲＳは、ＮＺＰ  ＳＲＳ、ＮＺＰ  ＤＭＲＳ、又はＮＺＰ  ＰＴＲＳ、又はＮＲシステムのために新たに定義された他のＮＺＰ  ＵＬＲＳを含むことができるが、それらに限定されず、この実施例は、特に限定されない。
【００７３】
選択可能で、この実施例の実現可能な方式において、２０２において、具体的に、上位レイヤシグナリング又は下り制御情報（Ｄｏｗｎｌｉｎｋ Ｃｏｎｔｒｏｌ Ｉｎｆｏｒｍａｔｉｏｎ、ＤＣＩ）により、端末にＺＰ  ＵＬＲＳの構成情報を送信する。
【００７４】
例えば、前記上位レイヤシグナリングは、無線物理リソース制御（Ｒａｄｉｏ Ｒｅｓｏｕｒｃｅ Ｃｏｎｔｒｏｌ、ＲＲＣ）メッセージであってもよく、具体的に、ＲＲＣメッセージ内の情報要素（Ｉｎｆｏｒｍａｔｉｏｎ Ｅｌｅｍｅｎｔ、ＩＥ）により前記ＺＰ  ＵＬＲＳの構成情報が搬送され、前記ＲＲＣメッセージは、従来のＲＲＣメッセージ、例えば、ＲＲＣ接続再構成（ＲＲＣ ＣＯＮＮＥＣＴＩＯＮ ＲＥＣＯＮＦＩＧＵＲＡＴＩＯＮ）メッセージ等であってもよく、この実施例がこれに限定されなく、従来のＲＲＣメッセージのＩＥを拡張して前記ＺＰ  ＵＬＲＳの構成情報を搬送し、又は、前記ＲＲＣメッセージは、従来の技術のＲＲＣメッセージと異なってもよい。
【００７５】
また、例えば、前記上位レイヤシグナリングは、メディアアクセス制御（Ｍｅｄｉａ Ａｃｃｅｓｓ Ｃｏｎｔｒｏｌ、ＭＡＣ）制御要素（Ｃｏｎｔｒｏｌ Ｅｌｅｍｅｎｔ、ＣＥ）メッセージであってもよく、新しいＭＡＣ  ＣＥメッセージを追加して前記ＺＰ  ＵＬＲＳの構成情報を搬送してもよい。
【００７６】
選択可能で、この実施例の実現可能な方式において、２０１において、受信する前記構成情報は、リソース構成情報とアクティブ化情報を含むが、この実施例はこれに限定されない。
【００７７】
この実施例において、リソース構成情報とアクティブ化情報の２つの情報は、別の２つの情報であってもいし、１つの情報であってもよく、この実施例はこれに限定されない。
【００７８】
例えば、ネットワークデバイスは、ＲＲＣメッセージを介して端末にＺＰ  ＵＬＲＳのリソース構成情報を送信する。
【００７９】
また、例えば、ネットワークデバイスは、ＤＣＩ又はＭＡＣ  ＣＥメッセージを介して、端末にＺＰ  ＵＬＲＳのアクティブ化情報を送信する。
【００８０】
ここで、前記リソース構成情報は、前記ＺＰ  ＵＬＲＳのために構成されたリソースを示す。
【００８１】
この実施例において、前記リソースは、時間領域リソース、周波数領域リソース及びシーケンスリソースのうちの少なくとも１つを含むが、この実施例はこれに限定されない。
【００８２】
例えば、時間領域リソースは、ＺＰ  ＵＬＲＳが存在するタイムスロットまたは直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅ、ＯＦＤＭ )シンボルであってもよい。
【００８３】
又は、例えば、前記周波数領域リソースは、ＺＰ  ＵＬＲＳが占用するサブキャリア又は物理リソースブロック（Ｒｅｓｏｕｒｃｅ Ｂｌｏｃｋ、ＲＢ）である。
【００８４】
前記シーケンスリソースは、ＺＰ  ＵＬＲＳによって使用されるサイクリックシフト、直交マスク( Ｏｒｔｈｏｇｏｎａｌ Ｃｏｖｅｒ Ｃｏｄｅ、ＯＣＣ )、またはシーケンス識別子( Ｉｄｅｎｔｉｔｙ、ＩＤ )であってもよい。
【００８５】
この実施例において、前記ＺＰ  ＵＬＲＳに構成されたリソースは、対応するＮＺＰ  ＵＬＲＳに構成されたリソースを再利用してもよい。
【００８６】
例えば、ネットワークデバイスは、ＮＺＰ  ＵＬＲＳとＺＰ  ＵＬＲＳがＮ個(Ｎは１以上の整数)の同じリソースを共有するように構成してもよく、それによって、アクティブ化情報によってＺＰ  ＵＬＲＳが占用するリソースのうちのどれが示されるかを示してもよい。
【００８７】
ここで、前記アクティブ化情報は、ＺＰ  ＵＬＲＳがアクティブ化されるか否か、すなわちＺＰ  ＵＬＲＳが有効であるか否かを示す。なお、上記の「アクティブ化」は、トリガとも呼ばれ、イネーブルとも呼ばれ、この実施例では特に限定しない。
【００８８】
具体的には、前記アクティブ化情報は、１ビットの情報で表されてもよく、例えば、１はアクティブ化状態を表してもよく、０は、非アクティブ化状態を示してよい。
【００８９】
１つの実現形態において、２０２において、具体的に、前記端末にＤＣＩを送信し、ＤＣＩは、ＺＰ  ＳＲＳをトリガするための非周期的なＺＰ  ＳＲＳトリガシグナリングを含む。ここで、前記非周期的なＺＰ  ＳＲＳトリガシグナリングは、クティブ化情報としてもよい。
【００９０】
この実現形態では、端末ＡがＮＺＰ  ＳＲＳを伝送するようにトリガされる時に、他方の端末Ｂの上り伝送が前記ＮＺＰ  ＳＲＳと同じリソースを多重化する場合、端末Ｂは非周期のＺＰ  ＳＲＳトリガシグナリングにより、前記ＮＺＰ  ＳＲＳに対応するＺＰ  ＳＲＳをトリガすることができ、前記ＮＺＰ  ＳＲＳが占用するリソースには上り信号が送信されず、ＮＺＰ  ＳＲＳへの干渉を回避することができる。
【００９１】
他の実現形態において、２０２において、上り伝送をスケジューリングするためのＤＣＩを端末に送信し、ＤＣＩは、上り伝送を搬送する物理リソース領域においてＺＰ  ＤＭＲＳまたはＺＰ  ＰＴＲＳをアクティブ化するためのアクティブ化情報含む。
【００９２】
ここで、前記上り伝送は、上りデータ伝送であってもよく、或いは上りチャネル状態情報( Ｃｈａｎｎｅｌ Ｓｔａｔｅ Ｉｎｆｏｒｍａｔｉｏｎ、ＣＳＩ )報告であってもよく、本実施例はこれに限定されない。
【００９３】
例えば、端末とネットワークデバイスは、あらかじめ約定しているか、ネットワークデバイスがＺＰ  ＤＭＲＳで使用する物理リソースまたはＤＭＲＳポートを構成し、端末が上り伝送をスケジューリングするためのＤＣＩを受信し、あるタイムスロットで前記上り伝送を行う必要がある場合、前記タイムスロットにおいてＺＰ  ＤＭＲＳをアクティブ化する、すなわち、前記タイムスロットにおけるＺＰ  ＤＭＲＳまたはＺＰ  ＤＭＲＳのＤＭＲＳポートに対応する物理リソース上で上りデータ、上りＣＳＩまたはＤＭＲＳを送信しないようにすることができる。
【００９４】
このように、１つの端末と他の端末がマルチユーザ多入力多出力( Ｍｕｌｔｉ−Ｕｓｅｒ Ｍｕｌｔｉｐｌｅ−Ｉｎｐｕｔ Ｍｕｌｔｉｐｌｅ−Ｏｕｔｐｕｔ、ＭＵ−ＭＩＭＯ )伝送を行う場合、２つの端末が異なるＤＭＲＳポートを使用し、異なるポートが異なる物理リソースを占用する場合、１つの端末は、多重端末がＤＭＲＳを伝送する物理リソース上で上り信号を伝送せず、多重端末に対する干渉を低減することができる。
【００９５】
また、例えば、端末とネットワークデバイスは、あらかじめ約定しているか、ネットワークデバイスがＺＰ  ＰＴＲＳで使用する物理リソースまたはＰＴＲＳポートを構成し、端末が上り伝送をスケジューリングするためのＤＣＩを受信し、あるタイムスロットで前記上り伝送を行う必要がある場合、前記タイムスロットにおいてＺＰ  ＰＴＲＳをアクティブ化し、すなわち、前記タイムスロットにおけるＺＰ  ＰＴＲＳまたはＺＰ  ＰＴＲＳのＰＴＲＳポートに対応する物理リソース上で上りデータ、上りＣＳＩまたはＤＭＲＳを送信しないようにすることができる。
【００９６】
このように、１つの端末と他の端末がＭＵ−ＭＩＭＯ伝送を行う場合、２つの端末が異なるＰＴＲＳポートを使用し、異なるポートが異なる物理リソースを占用する場合、１つの端末は多重端末がＰＴＲＳを送信する物理リソース上で上り信号を伝送せず、多重端末への干渉を低減することができる。
【００９７】
さらに、この実現形態において、前記アクティブ化情報は、さらに、アクティブ化される上り基準信号がＺＰ  ＵＬＲＳ、又はＮＺＰ  ＵＬＲＳであることを示す。
【００９８】
具体的には、前記アクティブ化情報は、２ビットの情報を用いて表されてもよく、例えば、００は非アクティブ化状態を表してもよく、０１は、アクティブ化される上り基準信号がＮＺＰ  ＵＬＲＳであることを示し、１０は、アクティブ化される上り基準信号がＺＰ  ＵＬＲＳであることを示し、１１は使用しない。
【００９９】
例えば、端末は、アクティブ化された上り基準信号がＮＺＰ  ＵＬＲＳである場合、対応するリソース上でＮＺＰ  ＵＬＲＳを送信する必要があり、アクティブ化された上り基準信号がＺＰ  ＵＬＲＳの場合、端末は、対応するリソース上で上り基準信号を送信する必要がなく、対応するリソースを予約する必要がある。このように、１つの端末がＮＺＰ  ＵＬＲＳを伝送しても、他の端末がＮＺＰ  ＵＬＲＳを伝送するリソースの予約が必要であっても、同じシグナリングで指示することができ、シグナリング設計を簡略化することができる。
【０１００】
さらに、この実施態様では、前記アクティブ化情報は、さらに、前記リソース構成情報によって示される前記ＺＰ  ＵＬＲＳのために構成された複数のリソースから、アクティブ化された前記ゼロパワーの上り基準信号が占用するリソースを選択することを指示するために使用されてよい。
【０１０１】
具体的には、ネットワークデバイスは、ＺＰ  ＵＬＲＳによって占用される複数のリソースを事前設定し得る。したがって、前記アクティブ化情報は、ネットワークデバイスによって構成されたＺＰ  ＵＬＲＳが占用するリソースから、ＺＰ  ＵＬＲＳが占用するリソースの少なくとも１つを選択することができる。例えば、インデックス（ｉｎｄｅｘ）やビットマップ（ｂｉｔｍａｐ）の形態で指示されてもよい。
【０１０２】
さらに、この実現形態において、前記アクティブ化情報は、さらに、アクティブ化される前記ゼロパワーの上り基準信号が占用するアンテナポートを示す。
【０１０３】
例えば、アクティブ化されるＺＰ  ＵＬＲＳがＺＰ  ＤＭＲＳまたはＺＰ  ＰＴＲＳである場合、前記アクティブ化情報は、ＺＰ  ＤＭＲＳ占用するＤＭＲＳポートまたはＺＰ  ＰＴＲＳが占用するＰＴＲＳポートを示し、他の端末の同じリソース上の伝送で占用されているＤＭＲＳポートまたはＰＴＲＳポートを示す。
【０１０４】
選択可能で、この実施例の実現可能な方式において、前記ＺＰ  ＵＬＲＳがアクティブ化されない場合、前記ＺＰ  ＵＬＲＳがリソースを占用する必要がなく、即ち、ＺＰ  ＵＬＲＳが占用するリソースが空きであり、前記ＺＰ  ＵＬＲＳがアクティブ化された場合、前記ＺＰ  ＵＬＲＳの構成情報に基づいて、前記ＺＰ  ＵＬＲＳが占用するリソースを確定することができる。
【０１０５】
本願において、前記ＺＰ  ＵＬＲＳと前記ＮＺＰ  ＵＬＲＳとは、同じタイプの上り基準信号であり、又は、異なるタイプの上り基準信号であり、この実施例はこれに限定されない。
【０１０６】
例えば、ＺＰ  ＤＭＲＳが占用するリソースにおいてＤＭＲＳ及び／又はＰＴＲＳを伝送しない。
【０１０７】
また、例えば、ＺＰ  ＰＴＲＳが占用するリソースにおいてＤＭＲＳ及び／又はＳＲＳを伝送しない。
【０１０８】
本発明による上り信号の伝送方法によれば、一部の端末が上り基準信号を伝送する際に、他の端末が対応するリソースにリソースの空きを柔軟に行わせつつ、他の端末が伝送する上り信号によるこれらの上り基準信号への干渉を回避し、端末の上り基準信号の確実な送信を保証することができ、これらの上り基準信号の伝送性能を向上させることができる。
【０１０９】
この実施例において、ゼロパワーの上り基準信号が占用するリソースに基づいて、前記ゼロパワーの上り基準信号の構成情報を取得し、端末に前記構成情報を送信し、前記リソースにおいて、上りデータを受信しなく、及び／又は前記リソースにおいて、非ゼロパワーの上り基準信号を受信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【０１１０】
なお、前述の各方法の実施例は、説明を簡単にするために、全て一連の動作の組み合わせとして表現したが、当業者であれば、本発明は、説明された動作の順序に限定されるものではなく、本発明によって、あるステップが他の順序で、または同時に行われてもよい。次に、当業者は、本明細書に記述された実施例が全て好ましい実施例に含まれることを理解するであろうが、かかる動作及びモジュールは必ずしも本発明に必須ではない。
【０１１１】
上記実施例では、各実施例についての説明を中心に説明したが、本発明は、上記実施例に限定されるものではなく、本発明の技術的思想を逸脱しない範囲内で種々の変更が可能である。
【０１１２】
図３は本発明の他の実施例における端末の構成図であり、図３に示すように、この実施例の端末は、受信ユニット３１、確定ユニット３２及び実行ユニット３３を含む。ここで、受信ユニット３１は、ネットワークデバイスにより送信されたゼロパワーの上り基準信号の構成情報を受信するように構成され、確定ユニット３２は、前記構成情報に基づいて、前記ゼロパワーの上り基準信号が占用するリソースを確定するように構成され、実行ユニット３３は、前記リソース上において上りデータを送信しなく、及び／又は、前記リソースにおいて、非ゼロパワーの上り基準信号を送信しないように構成される。
【０１１３】
選択可能で、この実施例の実現可能な方式において、前記ゼロパワーの上り基準信号は、ゼロパワーのサウンディング基準信号、ゼロパワーの復調基準信号、又はゼロパワーの位相トラッキング基準信号を含むが、この実施例はこれに限定されない。
【０１１４】
選択可能で、この実施例の実現可能な方式において、前記非ゼロパワーの上り基準信号は、非ゼロパワーのサウンディング基準信号、非ゼロパワーの復調基準信号、又は非ゼロパワーの位相トラッキング基準信号を含むが、この実施例はこれに限定されない。
【０１１５】
選択可能で、この実施例の実現可能な方式において、前記受信ユニット３１は、具体的に、ネットワークデバイスが上位レイヤシグナリング又は下り制御情報により送信したゼロパワーの上り基準信号の構成情報を受信するように構成される。
【０１１６】
選択可能で、この実施例の実現可能な方式において、前記上位レイヤシグナリングは、無線物理リソース制御メッセージ又はメディアアクセス制御要素メッセージを含むが、この実施例はこれに限定されない。
【０１１７】
選択可能で、この実施例の実現可能な方式において、前記構成情報は、リソース構成情報及びアクティブ化情報を含むが、この実施例はこれに限定されない。
【０１１８】
前記リソース構成情報は、前記ゼロパワーの上り基準信号のために構成されたリソースを示し、
前記アクティブ化情報は、前記ゼロパワーの上り基準信号をアクティブ化するかどうかを指示する。
【０１１９】
具体的に、確定ユニット３２は、具体的に、前記アクティブ化情報が前記ゼロパワーの上り基準信号をアクティブ化するように指示する場合、前記リソース構成情報に基づいて前記ゼロパワーの上り基準信号が占用するリソースを確定するように構成される。
【０１２０】
この実施例において、前記ゼロパワーの上り基準信号のために構成されたリソースは、対応する非ゼロパワーの上り基準信号に構成されたリソースを再利用する。
【０１２１】
一実現形態において、前記受信ユニット３１は、具体的に、前記ネットワークデバイスに送信された下り制御情報を受信するように構成され、前記下り制御情報には、ゼロパワーのサウンディング基準信号をトリガするための非周期的なゼロパワーのサウンディング基準信号トリガシグナリングが含まれる。
【０１２２】
一実現形態において、前記受信ユニット３１は、具体的に、前記ネットワークデバイスにより送信された、上り伝送のスケジューリングのための下り制御情報を受信するように構成され、前記下り制御情報には前記アクティブ化情報が含まれ、前記アクティブ化情報は、前記上り伝送が搬送される物理リソース領域内のゼロパワーの復調基準信号又はゼロパワーの位相トラッキング基準信号をアクティブ化する。
【０１２３】
この実現形態において、前記アクティブ化情報は、さらに、アクティブ化する上り基準信号がゼロパワーの上り基準信号であり、又は非ゼロパワーの上り基準信号であることを示す。
【０１２４】
この実現形態において、前記アクティブ化情報は、さらに、前記リソース構成情報に示す、前記ゼロパワーの上り基準信号のために構成された複数のリソースから、アクティブ化する前記ゼロパワーの上り基準信号が占用するリソースを選択するように指示する。
【０１２５】
この実現形態において、前記アクティブ化情報は、さらに、アクティブ化する前記ゼロパワーの上り基準信号が占用するアンテナポートを示す。
【０１２６】
選択可能で、この実施例の実現可能な方式において、前記リソースは、時間領域リソース、周波数領域リソース及びシーケンスリソースのうちの少なくとも１つを含むが、この実施例はこれに限定されない。
【０１２７】
選択可能で、この実施例の実現可能な方式において、前記実行ユニット３３は、具体的に、前記リソースにおいて、上りデータに対してレートマッチングまたはパンチ処理を行うように構成される。
【０１２８】
選択可能で、この実施例の実現可能な方式において、前記ゼロパワーの上り基準信号と前記非ゼロパワーの上り基準信号とは、同じタイプの上り基準信号であってもよく、異なるタイプの上り基準信号であってもよいが、この実施例はこれに限定されない。
【０１２９】
なお、図１に対応する実施例における手法は、本実施例で提供する端末で実現できる。詳細な説明は、図１に対応する実施例の関連内容を参照して、ここでは説明を省略する。
【０１３０】
この実施例において、受信ユニットがネットワークデバイスにより送信されたゼロパワーの上り基準信号の構成情報を受信し、確定ユニットが前記構成情報に基づいて、前記ゼロパワーの上り基準信号が占用するリソースを確定し、実行ユニットが前記リソース上において上りデータを送信しなく、及び／又は、前記リソースにおいて、非ゼロパワーの上り基準信号を送信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【０１３１】
図４は本発明の他の実施例におけるネットワークデバイスの構成図であり、図４に示すように、この実施例のネットワークデバイスは、取得ユニット４１、送信ユニット４２及び実行ユニット４３を含む。ここで、取得ユニット４１は、ゼロパワーの上り基準信号が占用するリソースに基づいて、前記ゼロパワーの上り基準信号の構成情報を取得するように構成され、送信ユニット４２は、端末に前記構成情報を送信するように構成され、実行ユニット４３は、前記リソースにおいて、上りデータを受信しなく、及び／又は前記リソースにおいて、非ゼロパワーの上り基準信号を受信しないように構成される。
【０１３２】
選択可能で、この実施例の実現可能な方式において、前記送信ユニット４２は、具体的に、上位レイヤシグナリング又は下り制御情報を介して、端末に前記構成情報を送信するように構成される。
【０１３３】
選択可能で、この実施例の実現可能な方式において、前記構成情報は、リソース構成情報及びアクティブ化情報を含むが、この実施例はこれに限定されない。
【０１３４】
前記リソース構成情報は、前記ゼロパワーの上り基準信号のために構成されたリソースを示し、
前記アクティブ化情報は、前記ゼロパワーの上り基準信号をアクティブ化するかどうかを指示する。
【０１３５】
選択可能で、この実施例の実現可能な方式において、前記実行ユニット４３は、具体的に、前記リソースにおいて、上りデータに対してレートマッチングまたはパンチ処理を行うように構成される。
【０１３６】
選択可能で、この実施例の実現可能な方式において、前記ゼロパワーの上り基準信号と前記非ゼロパワーの上り基準信号とは、同じタイプの上り基準信号であってもよいし、異なるタイプの上り基準信号であってもよく、この実施例はこれに限定されない。
【０１３７】
なお、図２に対応する実施例における手法は、本実施例で提供するネットワークデバイスで実現できる。詳細な説明は、図２に対応する実施例の関連内容を参照して、ここでは説明を省略する。
【０１３８】
この実施例において、取得ユニットがゼロパワーの上り基準信号が占用するリソースに基づいて、前記ゼロパワーの上り基準信号の構成情報を取得し、送信ユニットが端末に前記構成情報を送信し、実行ユニットが前記リソースにおいて、上りデータを受信しなく、及び／又は前記リソースにおいて、非ゼロパワーの上り基準信号を受信しないことで、端末がリソース予約を行うことにより、予約されたリソース上で端末が伝送する上り信号が、予約されたリソース上で他の端末が伝送する上り基準信号に与える干渉を効果的に回避し、端末の上り基準信号の確実な伝送を保証することができ、これらの上り基準信号の伝送性能が向上する。
【０１３９】
当業者であれば、説明の便宜及び簡潔にするために、上記に説明されたシステム、装置及びユニットの特定の動作プロセスは、前述の方法の実施例における対応するプロセスを参照してもよく、ここでその説明が省略されることを理解するであろう。
【０１４０】
本発明によって提供されるいくつかの実施例において、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１４１】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、この実施例の目的は、必要に応じて各部の一部又は全部を選択して実施することができる。
【０１４２】
また、本発明の各実施例における各機能部は、１つの処理部に集積されてもよいし、各部は物理的に別個に存在してもよいし、２つ以上の部が１つの部に集積されてもよい。上記の統合されたユニットは、ハードウェアの形態で実現されてもよいし、ハードウェア及びソフトウェア機能ユニットの形態で実現されてもよい。
【０１４３】
最後に、上述の実施例は、本発明の技術思想を説明するためのものであって、本発明を制限するものではなく、本発明を上述の実施例に基づき具体的に説明したが、当業者であれば、上述の実施例に記載された技術思想に基づき、本発明の技術思想に基づき、上述の実施例における各構成要素の修正や均等な置換を行うことができることは明らかであり、これらについても、本発明の技術思想の範囲内において、当業者であれば、当然に本発明の技術思想に基づき、当然に本発明の技術思想に基づき、種々の変更や置換を行うことができる。
【図１】
2020522161.tif 000003
【図２】
2020522161.tif 000004
【図３】
2020522161.tif 000005
【図４】
2020522161.tif 000006
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
ネットワークデバイスにより送信されたゼロパワーの上り基準信号の構成情報を受信することと、
前記構成情報に基づいて、前記ゼロパワーの上り基準信号が占用するリソースを確定することと、を含み、
前記リソースは、上りデータの送信及び／又は非ゼロパワーの上り基準信号の送信に使用されない
ことを特徴とする上り信号の伝送方法。
【請求項２】
前記ゼロパワーの上り基準信号は、ゼロパワーのサウンディング基準信号、ゼロパワーの復調基準信号、又はゼロパワーの位相トラッキング基準信号を含む
ことを特徴とする請求項１に記載の上り信号の伝送方法。
【請求項３】
前記非ゼロパワーの上り基準信号は、非ゼロパワーのサウンディング基準信号、非ゼロパワーの復調基準信号、又は非ゼロパワーの位相トラッキング基準信号を含む
ことを特徴とする請求項１に記載の上り信号の伝送方法。
【請求項４】
前記構成情報は、リソース構成情報及びアクティブ化情報を含み、
前記リソース構成情報は、前記ゼロパワーの上り基準信号のために構成されたリソースを示し、
前記アクティブ化情報は、前記ゼロパワーの上り基準信号をアクティブ化するかどうかを指示する
ことを特徴とする請求項１に記載の上り信号の伝送方法。
【請求項５】
前記リソース構成情報は、無線物理リソース制御ＲＲＣメッセージで搬送される
ことを特徴とする請求項４に記載の上り信号の伝送方法。
【請求項６】
前記アクティブ化情報は、メディアアクセス制御要素ＭＡＣ  ＣＥメッセージ又は下り制御情報ＤＣＩで搬送される
ことを特徴とする請求項４に記載の上り信号の伝送方法。
【請求項７】
前記構成情報に基づいて、前記ゼロパワーの上り基準信号が占用するリソースを確定することは、
前記アクティブ化情報が前記ゼロパワーの上り基準信号をアクティブ化するように指示する場合、前記リソース構成情報に基づいて前記ゼロパワーの上り基準信号が占用するリソースを確定することを含む
ことを特徴とする請求項４に記載の上り信号の伝送方法。
【請求項８】
前記ゼロパワーの上り基準信号のために構成されたリソースは、対応する非ゼロパワーの上り基準信号のために構成されたリソースと同じリソースを共有する
ことを特徴とする請求項４に記載の上り信号の伝送方法。
【請求項９】
前記ネットワークデバイスにより送信されたゼロパワーの上り基準信号の構成情報を受信することは、
前記ネットワークデバイスにより送信された、上り伝送のスケジューリングのための下り制御情報を受信することを含み、
前記下り制御情報には前記アクティブ化情報が含まれ、
前記アクティブ化情報は、前記上り伝送が搬送される物理リソース領域内のゼロパワーの復調基準信号又はゼロパワーの位相トラッキング基準信号をアクティブ化する
ことを特徴とする請求項４に記載の上り信号の伝送方法。
【請求項１０】
前記アクティブ化情報は、アクティブ化された上り基準信号がゼロパワーの上り基準信号、又は非ゼロパワーの上り基準信号であることを示す
ことを特徴とする請求項４に記載の上り信号の伝送方法。
【請求項１１】
前記リソース上において上りデータを送信しないことは、
前記リソースにおいて、上りデータに対してレートマッチングまたはパンチ処理を行うことを含む
ことを特徴とする請求項１に記載の上り信号の伝送方法。
【請求項１２】
ネットワークデバイスにより送信されたゼロパワーの上り基準信号の構成情報を受信するように構成される受信ユニットと、
前記構成情報に基づいて、前記ゼロパワーの上り基準信号が占用するリソースを確定するように構成される確定ユニットと、を含み、
前記リソース上は、上りデータの送信及び／又は非ゼロパワーの上り基準信号の送信に使用されない
ことを特徴とする端末。
【請求項１３】
前記ゼロパワーの上り基準信号は、ゼロパワーのサウンディング基準信号、ゼロパワーの復調基準信号、又はゼロパワーの位相トラッキング基準信号を含む
ことを特徴とする請求項１２に記載の端末。
【請求項１４】
前記非ゼロパワーの上り基準信号は、非ゼロパワーのサウンディング基準信号、非ゼロパワーの復調基準信号、又は非ゼロパワーの位相トラッキング基準信号を含む
ことを特徴とする請求項１２に記載の端末。
【請求項１５】
前記構成情報は、リソース構成情報及びアクティブ化情報を含み、
前記リソース構成情報は、前記ゼロパワーの上り基準信号のために構成されたリソースを示し、
前記アクティブ化情報は、前記ゼロパワーの上り基準信号をアクティブ化するかどうかを指示する
ことを特徴とする請求項１２に記載の端末。
【請求項１６】
前記リソース構成情報は、無線物理リソース制御ＲＲＣメッセージで搬送される
ことを特徴とする請求項１５に記載の端末。
【請求項１７】
前記アクティブ化情報は、メディアアクセス制御要素ＭＡＣ  ＣＥメッセージ又は下り制御情報ＤＣＩで搬送される
ことを特徴とする請求項１５に記載の端末。
【請求項１８】
前記確定ユニットは、
前記アクティブ化情報が前記ゼロパワーの上り基準信号をアクティブ化するように指示する場合、前記リソース構成情報に基づいて前記ゼロパワーの上り基準信号が占用するリソースを確定するように構成される
ことを特徴とする請求項１５に記載の端末。
【請求項１９】
前記ゼロパワーの上り基準信号のために構成されたリソースは、対応する非ゼロパワーの上り基準信号のために構成されたリソースと同じリソースを共有する
ことを特徴とする請求項１５に記載の端末。
【請求項２０】
前記受信ユニットは、
前記ネットワークデバイスにより送信された、上り伝送のスケジューリングのための下り制御情報を受信するように構成され、前記下り制御情報には前記アクティブ化情報が含まれ、前記アクティブ化情報は、前記上り伝送が搬送される物理リソース領域内のゼロパワーの復調基準信号又はゼロパワーの位相トラッキング基準信号をアクティブ化する
ことを特徴とする請求項１５に記載の端末。
【請求項２１】
前記アクティブ化情報は、アクティブ化された上り基準信号がゼロパワーの上り基準信号、又は非ゼロパワーの上り基準信号であることを示す
ことを特徴とする請求項１５に記載の端末。
【請求項２２】
前記実行ユニットは、
前記リソースにおいて、上りデータに対してレートマッチングまたはパンチ処理を行うように構成される
ことを特徴とする請求項１２に記載の端末。
【国際調査報告】
2020522161.tif 000007
2020522161.tif 000008
2020522161.tif 000009
2020522161.tif 000010